(57)【要約】【課題】各レイヤにチャネルが正しく設定されているか否かをユーザに認識させることができる擬似基地局装置を提供すること。【解決手段】被試験端末２とレイヤ構造のデータの通信を行う通信部１１と、被試験端末２を試験するための手順が記述されたシナリオを記憶するシナリオ記憶部１２と、シナリオにしたがって通信部１１を制御するシナリオ制御部１３とを備えた擬似基地局装置において、シナリオ制御部１３に制御された通信部１１に用いられている各レイヤのチャネルを表す情報を各レイヤ間で関連付けて表示装置１４に表示させる表示制御部１５を備える。【選択図】図１
2008252630.tif 000002
【特許請求の範囲】
【請求項１】
被試験端末（２）とレイヤ構造のデータの通信を行う通信部（１１）と、
前記被試験端末を試験するための手順が記述されたシナリオを記憶するシナリオ記憶部（１２）と、
前記シナリオにしたがって前記通信部を制御するシナリオ制御部（１３）とを備えた擬似基地局装置において、
前記シナリオ制御部に制御された通信部に用いられている各レイヤのチャネルを表す情報を各レイヤ間で関連付けて表示装置（１４）に表示させる表示制御部（１５）を備えたことを特徴とする擬似基地局装置。
【請求項２】
前記表示制御部は、前記各レイヤのチャネルを表す情報をノードとしたツリーを前記表示装置に表示させることを特徴とする請求項１に記載の擬似基地局装置。
【請求項３】
前記表示制御部は、前記通信部によって下位のレイヤのチャネルに関連付けられているが前記通信部に割り当てられていないチャネルを表す情報を他のチャネルを表す情報と識別できるように前記表示装置に表示させることを特徴とする請求項１に記載の擬似基地局装置。
【請求項４】
前記表示制御部は、前記通信部によって下位のレイヤのチャネルに関連付けられていないチャネルを表す情報を他のチャネルを表す情報と識別できるように前記表示装置に表示させることを特徴とする請求項１に記載の擬似基地局装置。
【請求項５】
前記表示制御部は、前記通信部によって下位のレイヤのチャネルに関連付けられていないチャネルに関連付けられている上位のレイヤのチャネルを表す情報を他のチャネルを表す情報と識別できるように前記表示装置に表示させることを特徴とする請求項４に記載の擬似基地局装置。
【請求項６】
前記表示制御部は、予め定められた通信方式において関連付けられるべき下位のレイヤのチャネルに前記通信部によって関連付けられていないチャネルを表す情報を他のチャネルを表す情報と識別できるように前記表示装置に表示させることを特徴とする請求項１に記載の擬似基地局装置。
【請求項７】
前記表示制御部は、予め定められた通信方式において関連付けられない下位のレイヤのチャネルに前記通信部によって関連付けられているチャネルを表す情報を他のチャネルを表す情報と識別できるように前記表示装置に表示させることを特徴とする請求項１に記載の擬似基地局装置。
【請求項８】
前記表示制御部は、前記表示装置に表示させた情報が表すチャネルのうち、少なくとも１つのチャネルに設定されているパラメータを前記表示装置に表示させることを特徴とする請求項１に記載の擬似基地局装置。
【請求項９】
前記表示制御部は、前記各パラメータを該パラメータの種別に応じた表示形式で前記表示装置に表示させることを特徴とする請求項８に記載の擬似基地局装置。
【発明の詳細な説明】
【技術分野】
【０００１】
本発明は、携帯端末等の被試験端末を試験するための擬似基地局装置に関し、特に、基地局や対向端末等といった被試験端末に対して通信回線側の機器を擬似する擬似基地局装置に関するものである。
【背景技術】
【０００２】
従来、被試験端末を試験するための擬似基地局装置としては、例えば、予め各試験項目とリソースの識別情報を記憶しておき、実装ユニットに対応する試験項目を実施可能試験項目として決定し、この実施可能試験項目を選択可能に識別して表示し、何れかの実施可能試験項目が選択された場合は、選択された実施可能試験項目に沿って試験を実行することによって、試験を行うためのハードウェアやソフトウェアのリソースの複雑な組合せについての深い認識がユーザに無くとも、容易に操作できるようにしたものがある（例えば、特許文献１参照）。
【特許文献１】特開２００５−３４１４２４号公報
【発明の開示】
【発明が解決しようとする課題】
【０００３】
しかしながら、上述したような従来の技術には、レイヤ構造のデータの通信を行う被試験端末の試験結果に問題があった場合に、被試験端末に問題があったのか、各試験項目（以下、「シナリオ」という。）に問題があって各レイヤにチャネルが正しく設定されていなかったのかをユーザに認識させることができないといった課題があった。
【０００４】
本発明は、従来の課題を解決するためになされたもので、各レイヤにチャネルが正しく設定されているか否かをユーザに認識させることができる擬似基地局装置を提供することを目的とする。
【課題を解決するための手段】
【０００５】
本発明の擬似基地局装置は、被試験端末（２）とレイヤ構造のデータの通信を行う通信部（１１）と、前記被試験端末を試験するための手順が記述されたシナリオを記憶するシナリオ記憶部（１２）と、前記シナリオにしたがって前記通信部を制御するシナリオ制御部（１３）とを備えた擬似基地局装置において、前記シナリオ制御部に制御された通信部に用いられている各レイヤのチャネルを表す情報を各レイヤ間で関連付けて表示装置（１４）に表示させる表示制御部（１５）を備えた構成を有している。
【０００６】
例えば、前記表示制御部は、前記各レイヤのチャネルを表す情報をノードとしたツリーを前記表示装置に表示させるようにする。
【０００７】
この構成により、本発明の擬似基地局装置は、各レイヤのチャネルを表す情報を各レイヤ間で関連付けて表示装置に表示させるため、各レイヤにチャネルが正しく設定されているか否かをユーザに認識させることができる。
【０００８】
なお、前記表示制御部は、前記通信部によって下位のレイヤのチャネルに関連付けられているが前記通信部に割り当てられていないチャネルを表す情報を他のチャネルを表す情報と識別できるように前記表示装置に表示させるようにしてもよい。
【０００９】
また、前記表示制御部は、前記通信部によって下位のレイヤのチャネルに関連付けられていないチャネルを表す情報を他のチャネルを表す情報と識別できるように前記表示装置に表示させるようにしてもよい。
【００１０】
また、前記表示制御部は、前記通信部によって下位のレイヤのチャネルに関連付けられていないチャネルに関連付けられている上位のレイヤのチャネルを表す情報を他のチャネルを表す情報と識別できるように前記表示装置に表示させるようにしてもよい。
【００１１】
これらの構成により、本発明の擬似基地局装置は、関連付けが正しく行われていないチャネルをユーザに認識させることができる。
【００１２】
また、前記表示制御部は、予め定められた通信方式において関連付けられるべき下位のレイヤのチャネルに前記通信部によって関連付けられていないチャネルを表す情報を他のチャネルを表す情報と識別できるように前記表示装置に表示させるようにしてもよい。
【００１３】
また、前記表示制御部は、予め定められた通信方式において関連付けられない下位のレイヤのチャネルに前記通信部によって関連付けられているチャネルを表す情報を他のチャネルを表す情報と識別できるように前記表示装置に表示させるようにしてもよい。
【００１４】
これらの構成により、本発明の擬似基地局装置は、通信方式に準拠した関連付けが正しく行われていないチャネルをユーザに認識させることができる。
【００１５】
また、前記表示制御部は、前記表示装置に表示させた情報が表すチャネルのうち、少なくとも１つのチャネルに設定されているパラメータを前記表示装置に表示させるようにしてもよい。
【００１６】
また、前記表示制御部は、前記各パラメータを該パラメータの種別に応じた表示形式で前記表示装置に表示させるようにしてもよい。
【００１７】
これらの構成により、本発明の擬似基地局装置は、各チャネルに設定されたパラメータをユーザに認識させることができる。
【発明の効果】
【００１８】
本発明は、各レイヤにチャネルが正しく設定されているか否かをユーザに認識させることができる擬似基地局装置を提供することができる。
【発明を実施するための最良の形態】
【００１９】
以下、本発明の実施の形態について、図面を参照して説明する。
【００２０】
図１は、本発明の一実施の形態の擬似基地局装置のブロック図である。
【００２１】
擬似基地局装置１は、無線周波数帯（Radio Frequency、以下「ＲＦ」という。）の信号を被試験端末２との間で送受信するＲＦ部１０と、ＲＦ部１０を介して被試験端末２と通信を行う通信部１１と、被試験端末２を試験するための手順が記述されたシナリオを記憶するシナリオ記憶部１２と、シナリオにしたがって通信部１１を制御するシナリオ制御部１３と、液晶ディスプレイ等よりなる表示装置１４と、表示装置１４を制御する表示制御部１５と、キーボード装置やポインティングデバイスによって構成された操作部１６とを備えている。
【００２２】
通信部１１は、例えば、ＲＦ部１０と一体に通信モジュールによって構成され、被試験端末２とレイヤ構造のデータの通信を行うようになっている。ここで、レイヤ構造のデータの通信を行うための通信方式としては、Ｗ−ＣＤＭＡ（Wideband Code Division Multiple Access）、ＣＤＭＡ２０００およびＧＳＭ（Global System for Mobile）等がある。通信部１１は、これら通信方式に準拠した通信を行うようになっている。
【００２３】
なお、本実施の形態では、通信部１１が、Ｗ−ＣＤＭＡに準拠し、物理レイヤと、トランスポートレイヤと、論理レイヤの３つのレイヤによって構成されるデータの通信を被試験端末２と行う例を説明する。
【００２４】
シナリオ記憶部１２は、ハードディスク装置などの不揮発性の記憶媒体によって構成されている。シナリオ記憶部１２に記憶されるシナリオは、例えば図２に示すように、通信部１１に物理レイヤのチャネルを割り当てるためのCphyRlSetup()関数と、物理レイヤのチャネルにトランスポートレイヤのチャネルを関連付けるためのCphyTrchConfig()関数と、通信部１１にトランスポートレイヤのチャネルを割り当てると共にトランスポートレイヤのチャネルに論理レイヤのチャネルを関連付けるためのCmacConfig()関数と、通信部１１に論理レイヤのチャネルを割り当てるためのCrlcConfig()関数等からなる。
【００２５】
これら各関数によって通信部１１に設定される各チャネルのパラメータは、例えば図３に示すように、InitParam()関数によって予め定められる。例えば、符号２０で示されるシナリオの一部は、CphyTrchConfig_D_DPCH_SDCCHを引数としてCphyTrchConfig()関数が実行された場合には、該当する物理レイヤのチャネルに、１つのトランスポートレイヤのチャネル（チャネル名D_DCH、チャネル番号０）が通信部１１によって関連付けられることを表している。
【００２６】
また、符号２１で示されるシナリオの一部は、CmacConfig_D_DPCH_SDCCHを引数としてCmacConfig ()関数が実行された場合には、１つのトランスポートレイヤのチャネル（チャネル名D_DCH、チャネル番号０）が通信部１１に割り当てられ、このトランスポートレイヤのチャネルに、４つの論理レイヤのチャネル（チャネル名D_DCCH、チャネル番号０乃至３）が通信部１１によって関連付けられることを表している。
【００２７】
なお、シナリオ記憶部１２に記憶されたシナリオは、図２および図３に示したようなソースコードであってもよく、これらソースコードが中間言語や機械語にコンパイルされたものであってもよい。ここで、シナリオがソースコードまたは中間言語である場合には、シナリオ制御部１３には、インタプリタ機能を設ける。
【００２８】
シナリオ制御部１３は、ＣＰＵ（Central Processing Unit）によって構成され、シナリオ記憶部１２に記憶されたシナリオにしたがって、通信部１１を制御するようになっている。
【００２９】
また、シナリオ制御部１３は、通信部１１を制御する際に、通信部１１に割り当てた各レイヤのチャネル、各レイヤ間のチャネルの関連、および各チャネルに設定したパラメータを表す情報を表示制御部１５に出力するようになっている。
【００３０】
表示制御部１５は、ＣＰＵおよびビデオカードによって構成され、シナリオ制御部１３から出力された情報を表示装置１４に表示させるようになっている。例えば、図４に示すシナリオがシナリオ制御部１３によって実行された場合には、表示制御部１５は、図５に示すように、各レイヤのチャネルを表す情報をノードとしたツリーを表示するようになっている。
【００３１】
例えば、図４において、符号３０で示されるCphyRlSetup()関数がシナリオ制御部１３によって実行されると、シナリオ制御部１３は、通信部１１に物理レイヤの１つのチャネル（チャネル名P_CCPCH、チャネル番号０）を割り当て、表示制御部１５は、図５において、当該チャネルを表す描画情報４０を表示装置１４に表示させる。
【００３２】
同様に、図４において、符号３１で示されるCphyTrchConfig()関数がシナリオ制御部１３によって実行されると、シナリオ制御部１３は、物理レイヤのチャネル（チャネル名P_CCPCH、チャネル番号０）にトランスポートレイヤのチャネル（チャネル名D_BCH、チャネル番号０）を関連付け、表示制御部１５は、図５において、これらチャネル間の関連付けを表す描画情報４１を表示装置１４に表示させる。
【００３３】
また、図４において、符号３２で示されるCmacConfig()関数がシナリオ制御部１３によって実行されると、シナリオ制御部１３は、通信部１１にトランスポートレイヤの該当チャネル（チャネル名D_BCH、チャネル番号０）を割り当てると共に、このチャネル（チャネル名P_CCPCH、チャネル番号０）に論理レイヤのチャネル（チャネル名D_BCCH、チャネル番号０）を関連付け、表示制御部１５は、図５において、トランスポートレイヤのチャネルを表す描画情報４２と、これらチャネル間の関連付けを表す描画情報４３を表示装置１４に表示させる。
【００３４】
また、図４において、符号３３で示されるCrlcConfig()関数がシナリオ制御部１３によって実行されると、シナリオ制御部１３は、通信部１１に論理レイヤの該当チャネル（チャネル名D_BCCH、チャネル番号０）を割り当て、表示制御部１５は、図５において、当該チャネルを表す描画情報４４を表示装置１４に表示させる。
【００３５】
ここで、表示制御部１５は、図５に示すように、通信部１１によって下位のレイヤのチャネルに関連付けられているが通信部１１に割り当てられていないチャネルを表す描画情報５０を他のチャネルを表す描画情報と識別できるように、表示色を変える等して表示装置１４に表示させるようになっている。
【００３６】
また、表示制御部１５は、通信部１１によって下位のレイヤのチャネルに関連付けられていないチャネルを表す描画情報５１を他のチャネルを表す描画情報と識別できるように表示装置１４に表示させるようになっている。
【００３７】
また、表示制御部１５は、通信部１１によって下位のレイヤのチャネルに関連付けられていないチャネルに関連付けられている上位のレイヤのチャネルを表す描画情報５２を他のチャネルを表す描画情報と識別できるように表示装置１４に表示させるようになっている。
【００３８】
なお、表示制御部１５は、予め定められた通信方式、すなわち、本実施の形態におけるＷ−ＣＤＭＡにおいて関連付けられるべき下位のレイヤのチャネルに通信部１１によって関連付けられていないチャネルを表す描画情報を他のチャネルを表す描画情報と識別できるように表示装置１４に表示させるようにしてもよい。
【００３９】
また、表示制御部１５は、Ｗ−ＣＤＭＡにおいて関連付けられない下位のレイヤのチャネルに通信部１１によって関連付けられているチャネルを表す描画情報を他のチャネルを表す描画情報と識別できるように表示装置１４に表示させるようにしてもよい。
【００４０】
図５に示したような表示装置１４の表示画面上において、操作部１６を介して、１つのチャネルの描画情報が選択された場合には、表示制御部１５は、図６に示すように選択されたチャネルに設定されたパワー、スクランブリングコードおよびトランスポートブロックサイズ等のパラメータを表示装置１４に表示させるようになっている。
【００４１】
ここで、表示制御部１５は、該当チャネルに設定されたパラメータを１６進表示でまとめて表示装置１４に表示させるようにしてもよく（表示領域７０）、各パラメータの種別に応じた表示形式で表示装置１４に表示させるようにしてもよい（表示領域７１）。
【００４２】
以上のように構成された擬似基地局装置１の動作を図７を用いて以下に説明する。
【００４３】
まず、シナリオ記憶部１２に記憶されたシナリオから１つのシナリオが操作部１６を介して選択されると（Ｓ１）、選択されたシナリオがシナリオ制御部１３によって実行される（Ｓ２）。シナリオ制御部１３によってシナリオが実行されると、シナリオ制御部１３に制御された通信部１１によって被試験端末２との間の通信がＲＦ部１０を介して行われる（Ｓ３）。
【００４４】
次に、シナリオ制御部１３によって通信部１１に割り当てられた各レイヤのチャネル、各レイヤ間のチャネルの関連、および各チャネルに設定されたパラメータを表す情報が表示制御部１５に出力され、例えば、図５に示したような各レイヤ間のチャネルの関連を表す表示画面が表示装置１４に表示される（Ｓ４）。
【００４５】
ここで、操作部１６を介して試験の終了が指示されると（Ｓ５）、擬似基地局装置１の動作は、終了する。一方、操作部１６を介して他のシナリオが選択されると（Ｓ１）、選択された他のシナリオがシナリオ制御部１３によって実行される（Ｓ２）。
【００４６】
このように、本発明の一実施の形態の擬似基地局装置１は、各レイヤのチャネルを表す情報を各レイヤ間で関連付けて表示装置１４に表示させるため、各レイヤにチャネルが正しく設定されているか否かをユーザに認識させることができる。
【図面の簡単な説明】
【００４７】
【図１】本発明の一実施の形態に係る擬似基地局装置の構成を示すブロック図である。
【図２】本発明の一実施の形態に係る擬似基地局装置に用いられるシナリオを説明するための第１のリストである。
【図３】本発明の一実施の形態に係る擬似基地局装置に用いられるシナリオを説明するための第２のリストである。
【図４】本発明の一実施の形態に係る擬似基地局装置に用いられるシナリオを説明するための第３のリストである。
【図５】本発明の一実施の形態に係る擬似基地局装置を構成する表示装置における第１の表示画面を示す概略図である。
【図６】本発明の一実施の形態に係る擬似基地局装置を構成する表示装置における第２の表示画面を示す概略図である。
【図７】本発明の一実施の形態に係る擬似基地局装置の動作を示すフローチャートである。
【符号の説明】
【００４８】
１  擬似基地局装置
２  被試験端末
１０  ＲＦ部
１１  通信部
１２  シナリオ記憶部
１３  シナリオ制御部
１４  表示装置
１５  表示制御部
１６  操作部
【図１】
2008252630.tif 000003
【図２】
2008252630.tif 000004
【図３】
2008252630.tif 000005
【図４】
2008252630.tif 000006
【図５】
2008252630.tif 000007
【図７】
2008252630.tif 000008
【図６】
2008252630.tif 000009